(57)【要約】【課題】開き用と閉じ用のシャッタ羽根をもつカメラ用シャッタ装置において、特に高輝度時における小絞り状態を確実に形成できるようにする。【解決手段】露光動作の際に、露光用開口部１０ａの開き動作を行う開きシャッタ羽根３０及び閉じ動作を行う閉じシャッタ羽根４０、開きシャッタ羽根３０を開閉駆動する第１の電磁駆動源５０、閉じシャッタ羽根４０を開閉駆動する第２の電磁駆動源６０、電磁駆動源を駆動制御する制御手段８１等を備え、開きシャッタ羽根３０と閉じシャッタ羽根４０とのいずれを先に駆動するかを被写体の光量に応じて選択的に決定し、高輝度時には、閉じシャッタ４０に先に閉じ動作を開始させた後に開きシャッタ羽根３０に開き動作を行わせる。これにより、高速撮影を行いつつも高画質の撮影画像を得ることができる。【選択図】  図３
2004191543.tif 000002
【特許請求の範囲】
【請求項１】
露光動作の際に露光用開口部を閉じる閉鎖位置から開放する開放位置に向けて開き動作を行う開きシャッタ羽根と、露光動作の際に露光用開口部を開放する開放位置から閉じる閉鎖位置に向けて閉じ動作を行う閉じシャッタ羽根と、前記開きシャッタ羽根を開閉駆動する第１の電磁駆動源と、前記閉じシャッタ羽根を開閉駆動する第２の電磁駆動源と、前記電磁駆動源を駆動制御する制御手段と、を備えたカメラ用シャッタ装置であって、
前記制御手段は、露光動作の際に、前記開きシャッタ羽根と前記閉じシャッタ羽根とのいずれを先に駆動するかを被写体の光量に応じて選択的に決定し、前記電磁駆動源に対し通電制御を行う、
ことを特徴とするカメラ用シャッタ装置。
【請求項２】
前記制御手段は、被写体の光量が所定レベル以上のとき、前記閉じシャッタ羽根に閉じ動作を開始させた後に前記開きシャッタ羽根に開き動作を行わせるように、前記電磁駆動源に対し通電制御を行う、
ことを特徴とする請求項１記載のカメラ用シャッタ装置。
【請求項３】
前記制御手段は、露光動作を制御する制御シーケンスのスタート時から所定の時間に亘って前記開きシャッタ羽根を前記閉鎖位置に保持するべく前記第１の電磁駆動源を非通電とする休止時間を設定する、
ことを特徴とする請求項２記載のカメラ用シャッタ装置。
【請求項４】
前記制御手段は、予め決定された露光時間を調整するために、前記制御シーケンスのスタート時から前記第２の電磁駆動源に閉じ通電を開始するまでの露光調整時間を設定する、
ことを特徴とする請求項２又は３に記載のカメラ用シャッタ装置。
【請求項５】
前記制御手段は、前記露光調整時間と前記休止時間とを比較し、前記露光調整時間が前記休止時間よりも短いと判断したとき、前記閉じシャッタ羽根に閉じ動作を開始させた後に前記開きシャッタ羽根に開き動作を行わせるべく、前記電磁駆動源に対して通電制御を行う、
ことを特徴とする請求項４記載のカメラ用シャッタ装置。
【請求項６】
前記制御シーケンスのスタート時は、前記閉じシャッタ羽根を前記開放位置に復帰させるための開き通電が完了した時点に設定されている、ことを特徴とする請求項３又は４に記載のカメラ用シャッタ装置。
【発明の詳細な説明】
【０００１】
【発明の属する技術分野】
本発明は、銀塩フィルム式のカメラ等に搭載されて高速撮影が可能なカメラ用シャッタ装置に関し、特に、別々に駆動されて露光用の開口部を開閉する開きシャッタ羽根及び閉じシャッタ羽根を備えるカメラ用シャッタ装置に関する。
【０００２】
【従来の技術】
従来のカメラ用シャッタ装置としては、露光用の開口部を有する基板、基板に対して回動自在に支持され開口部を開閉し得る露光開始用の開きシャッタ羽根及び露光終了用の閉じシャッタ羽根、開きシャッタ羽根と閉じシャッタ羽根とを別々に駆動する二つの電磁駆動源、電磁駆動源を駆動制御する駆動制御回路等を備えたものが知られている（例えば、特許文献１参照）。
【０００３】
【特許文献１】
実開平６−２８８４３号公報
【０００４】
【発明が解決しようとする課題】
ところで、上記従来の装置においては、露光動作の際に、先ず開きシャッタ羽根に開き動作を開始させた後に閉じシャッタ羽根に閉じ動作を行わせるように駆動制御するものである。したがって、被写体が高輝度のときに小絞り状態を形成するためには、閉じシャッタ羽根は、開きシャッタ羽根の開き動作に遅れることなく閉じ動作を開始するように駆動されなければならない。
その為には、閉じシャッタ羽根の閉じ動作を非常に速くするか、あるいは、即座に閉じ動作を開始できるようにする必要がある。しかしながら、シャッタ羽根の慣性力の影響、電磁駆動源の駆動性能上、その高速化には限界がある。
【０００５】
本発明は、上記の事情に鑑みて成されたものであり、その目的とするところは、開き動作を行う開きシャッタ羽根と閉じ動作を行う閉じシャッタ羽根とを別々に駆動して露光動作を行わせる際に、被写体の光量（輝度）に応じて最適な露光特性が得られ、特に、高輝度時に最適な絞り状態が形成されて高画質の撮影画像が得られる、高速撮影が可能なカメラ用シャッタ装置を提供することにある。
【０００６】
【課題を解決するための手段】
本発明に係るカメラ用シャッタ装置は、露光動作の際に露光用開口部を閉じる閉鎖位置から開放する開放位置に向けて開き動作を行う開きシャッタ羽根と、露光動作の際に露光用開口部を開放する開放位置から閉じる閉鎖位置に向けて閉じ動作を行う閉じシャッタ羽根と、開きシャッタ羽根を開閉駆動する第１の電磁駆動源と、閉じシャッタ羽根を開閉駆動する第２の電磁駆動源と、両方の電磁駆動源を駆動制御する制御手段と、を備えたカメラ用シャッタ装置であって、上記制御手段は、露光動作の際に、開きシャッタ羽根と閉じシャッタ羽根とのいずれを先に駆動するかを被写体の光量に応じて選択的に決定し、電磁駆動源に対し通電制御を行う、ことを特徴としている。
【０００７】
この構成によれば、制御手段は、撮影に先立って測定された被写体（被写界）の光量（輝度）レベルに応じて、開きシャッタ羽根を先に駆動させ続いて閉じシャッタ羽根を駆動させる制御、あるいは、閉じシャッタ羽根を先に駆動させ続いて開きシャッタ羽根を駆動させる制御が、最適な露光特性が得られるように選択的に行われるため、高速撮影を行いつつも高画質の撮影画像を得ることができる。
【０００８】
上記構成において、制御手段は、被写体の光量が所定レベル以上のとき、閉じシャッタ羽根に閉じ動作を開始させた後に開きシャッタ羽根に開き動作を行わせるように、電磁駆動源に対し通電制御を行う、構成を採用できる。
この構成によれば、被写体の光量が所定レベル以上（高輝度）のとき、閉じシャッタ羽根が先に閉じ動作を開始した後に開きシャッタ羽根が開き動作を開始するため、閉じ動作が遅れることなく所望の絞り開口が得られる。これにより、高輝度時においても高画質の画像を撮影することができる。
【０００９】
上記構成において、制御手段は、露光動作を制御する制御シーケンスのスタート時から所定の時間に亘って開きシャッタ羽根を閉鎖位置に保持するべく、第１の電磁駆動源を非通電とする休止時間を設定する、構成を採用できる。
この構成によれば、露光動作を制御する制御シーケンスにおいて、そのスタート時（露光開始前の所定の基準時）から所定長さの休止時間に亘って、開きシャッタ羽根が駆動されない領域が設定されるため、閉じシャッタ羽根を先に駆動する場合に、この領域を閉じシャッタ羽根の助走区間として用いることができるため、シャッタ速度をより高速化できる。
【００１０】
上記構成において、制御手段は、予め決定された露光時間を調整するために、制御シーケンスのスタート時から第２の電磁駆動源に閉じ通電を開始するまでの露光調整時間を設定する、構成を採用できる。
この構成によれば、制御シーケンスのスタート時から露光調整時間（すなわち、最適な露光時間（露光量）を得るために、閉じシャッタ羽根に閉じ動作を行わせるよう第２の電磁駆動源に閉じ通電が開始されるまでの時間）が設定されるため、閉じシャッタ羽根の閉じ動作を、所望のタイミングで高精度に駆動制御することができる。
【００１１】
上記構成において、制御手段は、露光調整時間と休止時間とを比較し、露光調整時間が休止時間よりも短いと判断したとき、閉じシャッタ羽根に閉じ動作を開始させた後に開きシャッタ羽根に開き動作を行わせるべく、電磁駆動源に対して通電制御を行う、構成を採用できる。
この構成によれば、露光調整時間が休止時間よりも短いか否かの判断だけで、閉じシャッタ羽根を先に駆動するか否かの決定がなされるため、制御シーケンスが簡略化される。
【００１２】
上記構成において、制御シーケンスのスタート時は、閉じシャッタ羽根を開放位置に復帰させるための開き通電が完了した時点に設定されている、構成を採用できる。
この構成によれば、露光動作のために開きシャッタ羽根及び閉じシャッタ羽根を駆動制御する制御シーケンスにおいて、閉じシャッタ羽根が開放位置に復帰した時点をそのスタート時とすることでシーケンスの基準点が安定し、開きシャッタ羽根と閉じシャッタ羽根との相対的な駆動タイミングをより確実かつ高精度に制御することができる。
【００１３】
【発明の実施の形態】
以下、本発明の実施の形態について、添付図面を参照しつつ説明する。
図１ないし図９は本発明に係るカメラ用シャッタ装置の一実施形態を示すものであり、図１は装置の平面図、図２は展開断面図、図３ないし図５は開きシャッタ羽根及び閉じシャッタ羽根の状態を示す平面図、図６は装置全体の制御回路を示すブロック図、図７ないし図９は制御シーケンスを示すフローチャート及びタイムチャートである。
【００１４】
この装置は、図１ないし図３に示すように、露光用開口部１０ａ，２０ａを有する基板としての地板１０及び裏板２０、地板１０に対して移動自在に支持され開口部１０ａを開閉し得る開きシャッタ羽根３０及び閉じシャッタ羽根４０、開きシャッタ羽根３０を開閉駆動する第１の電磁駆動源５０、閉じシャッタ羽根４０を開閉駆動する第２の電磁駆動源６０、開きシャッタ羽根３０及び閉じシャッタ４０の位置を検出する光センサ７０、種々の演算及び判定処理等を行って電磁駆動源５０，６０を駆動制御する制御回路８０等を備えている。
【００１５】
地板１０には、図１ないし図３に示すように、円形をなす露光用開口部１０ａ、開きシャッタ羽根３０を支持する支軸１１，１２、閉じシャッタ羽根４０を支持する支軸１３，１４，１５，１６、後述する駆動ピン５１ａ，６１ａの移動を許容する貫通孔１０ｂ，１０ｃ、開きシャッタ羽根３０及び閉じシャッタ羽根４０を閉鎖位置及び開放位置にそれぞれ停止させるストッパ（不図示）等が形成されている。裏板２０は、図２に示すように、地板１０と所定の間隔をおいて連結されて、開きシャッタ羽根３０及び閉じシャッタ羽根４０を揺動自在に収容する羽根室Ｗを画定している。
【００１６】
開きシャッタ羽根３０は、図３、図４、図５に示すように、支軸１１，１２にそれぞれ揺動自在に支持された羽根３１及び羽根３２により構成されている。開きシャッタ羽根３０（３１，３２）は、それぞれ円孔３１ａ，３２ａ、長孔３１ｂ，３２ｂを有し、円孔３１ａ，３２ａに支軸１１，１２が挿入され、長孔３１ｂ，３２ｂに駆動ピン５１ａが挿入されている。
すなわち、開きシャッタ羽根３０（３１，３２）は、図４に示すようにお互いに重なり合って開口部１０ａを閉鎖する閉鎖位置と、図３及び図５に示すようにお互いに離隔して開口部１０ａを開放する開放位置との間を揺動自在となっており、露光動作の際には、閉鎖位置から開放位置に向けて開き動作を行うよう駆動制御される。
【００１７】
閉じシャッタ羽根４０は、図３、図４、図５に示すように、支軸１３，１５に揺動自在に支持された一方側の羽根４１，４３、支軸１４，１６に揺動自在に支持された他方側の羽根４２，４４により構成されている。閉じシャッタ羽根４０（４１，４２，４３，４４）は、それぞれ円孔４１ａ，４２ａ，４３ａ，４４ａ、長孔４１ｂ，４２ｂ，４３ｂ，４４ｂを有し、円孔４１ａ，４２ａ，４３ａ，４４ａに支軸１３，１４，１５，１６が挿入され、長孔４１ｂ，４２ｂ，４３ｂ，４４ｂに駆動ピン６１ａが挿入されている。
すなわち、閉じシャッタ羽根４０（羽根４１，４３と羽根４２，４４）は、図５に示すようにお互いに重なり合って開口部１０ａを閉鎖する閉鎖位置と、図３及び図４に示すようにお互いに離隔して開口部１０ａを開放する開放位置との間を揺動自在となっており、露光動作の際には、開放位置から閉鎖位置に向けて閉じ動作を行うように駆動制御される。
【００１８】
第１の電磁駆動源５０は、図１及び図２に示すように、Ｎ極及びＳ極に着磁された円柱状の磁石部及び磁石部から突出した駆動ピン５１ａを有するロータ５１、ロータ５１を回動自在に支持する枠部材５２、枠部材５２に巻回された励磁用のコイル５３、枠部材５２の外側に嵌合された円筒状のヨーク５４等により形成された、ムービングマグネット型のモータである。そして、駆動ピン５１ａは、図３に示すように、開きシャッタ羽根３０（３１，３２）の円孔３１ａ，３２ａに連結されている。
すなわち、ロータ５１が所定の角度範囲を回動することで、開きシャッタ羽根３０が開口部１０ａを開閉する。ここで、ロータ５１は、露光動作の際に、図３中の時計回りに回転して、開きシャッタ羽根３０を閉鎖位置から開放位置へ移動させる。
【００１９】
第２電磁駆動源６０は、図１及び図２に示すように、Ｎ極及びＳ極に着磁された円柱状の磁石部及び磁石部から突出した駆動ピン６１ａを有するロータ６１、ロータ６１を回動自在に支持する枠部材６２、枠部材６２に巻回された励磁用のコイル６３、枠部材６２の外側に嵌合された円筒状のヨーク６４等により形成された、ムービングマグネット型のモータである。そして、駆動ピン６１ａは、図３に示すように、閉じシャッタ羽根４０（４１〜４４）の円孔４１ａ，４２ａ，４３ａ，４４ａに連結されている。
すなわち、ロータ６１が所定の角度範囲を回動することで、閉じシャッタ羽根４０が開口部１０ａを開閉する。ここで、ロータ６１は、露光動作の際に、図３中の反時計回りに回転して、閉じシャッタ羽根４０を開放位置から閉鎖位置へ移動させる。
【００２０】
制御回路８０は、図６に示すように、種々の演算及び判定処理等を行って制御信号を発する制御手段としてのＣＰＵ等からなる制御部８１、第１の電磁駆動源５０を駆動制御する第１モータ駆動回路８２、第２の電磁駆動源６０を駆動制御する第２モータ駆動回路８３、光センサ７０からの出力信号を検出するセンサ信号検出回路８４、その他に銀塩フィルム式のカメラ全体として、被写体までの距離を測定する測距器８５ａ及び測距器８５ａからの出力信号を処理する測距回路８５、被写体（被写界）の光量（輝度）を測定する測光器８６ａ及び測光器８６ａからの出力信号を処理する測光回路８６、フィルムＦを巻き取るモータ８７ａを駆動制御するモータ駆動回路８７、一連の露光動作を制御する制御シーケンスのスタート時から経過時間を計るタイマー８８、種々の情報を記憶する記憶部８９、カメラ本体の電源のオン／オフを行うメインスイッチ９０、レリーズ動作によりオン／オフ信号を発するレリーズスイッチ９１等により構成されている。
【００２１】
制御部８１は、露光動作の制御を行うにあたり、測光器８６ａ及び測光回路８６から得られる被写体の光量レベルに基づいて、開きシャッタ羽根３０と閉じシャッタ羽根４０とのいずれを先に駆動するかを選択的に決定（判定）し、その決定に基づいて電磁駆動源５０，６０に対しそれぞれ通電制御を行う。
すなわち、制御部８１は、被写体の光量が所定レベル以上（高輝度）のとき、閉じシャッタ羽根４０に閉じ動作を開始させるべく第２の電磁駆動源６０に閉じ通電を開始した後に、開きシャッタ羽根３０に開き動作を行わせるように第１の電磁駆動源５０に開き通電を行い、一方、被写体の光量が所定レベル未満（低輝度）のとき、開きシャッタ羽根３０に開き動作を開始させるべく第１の電磁駆動源４０に開き通電を行った後に、閉じシャッタ羽根４０に閉じ動作を行わせるように第２の電磁駆動源６０に閉じ通電を行う。
【００２２】
また、制御部８１は、露光動作を制御する制御シーケンスのスタート時Ｓから、タイマー８８によって、予め設定された所定長さの休止時間Ｈを計り、この休止時間が経過するまで、開きシャッタ羽根３０を閉鎖位置に保持するべく第１の電磁駆動源５０を非通電とする制御を行う。
このように、休止時間Ｈを設けることにより、開きシャッタ羽根３０が駆動されない領域すなわち作動を遅らせる遅延時間を設定できるため、閉じシャッタ羽根４０を先に駆動する場合に、この領域を閉じシャッタ羽根４０の助走区間として用いることができ、シャッタ速度をより高速化できる。
【００２３】
さらに、制御部８１は、測光器８６ａ及び測光回路８６により得られた被写体の光量情報（高輝度、低輝度のいずれであるかの情報）に基づき、露光動作に先立って最適な露光時間（シャッタ秒時）を予め算出して、制御シーケンスのスタート時Ｓから第２の電磁駆動源６０に閉じ通電を開始する（閉じシャッタ４０に閉じ動作を開始させる）までの露光調整時間を設定する。
ここで、露光調整時間とは、個体差露光時間（ＡＥＤ）に固定露光時間（ＴＡＥ）を加算した合計時間として定義される。
【００２４】
そして、制御部８１は、休止時間Ｈと比較しつつ露光調整時間の終了タイミングを判定し、露光調整時間が休止時間Ｈよりも短いと判断したとき、すなわち、休止時間Ｈが経過する前に露光調整時間が終了したと判断したとき、閉じシャッタ羽根４０に閉じ動作を開始させた後に開きシャッタ羽根３０に開き動作を行わせるように、先ず第２の電磁駆動源６０に対し閉じ通電を行い、その後に第１の電磁駆動源５０に対し開き通電を行う。
一方、制御部８１は、露光調整時間が休止時間Ｈよりも長いと判断したとき、すなわち、露光調整時間が終了する前に休止時間Ｈが経過したと判断したとき、開きシャッタ羽根３０に開き動作を行わせた後に閉じシャッタ羽根４０に閉じ動作を行わせるように、先ず第１の電磁駆動源５０に対し開き通電を行い、その後に第２の電磁駆動源６０に対し閉じ通電を行う。
【００２５】
ここで、制御シーケンスのスタート時Ｓとしては、閉じシャッタ羽根４０を開放位置に復帰させるために、第２の電磁駆動源６０への開き通電が完了した時点に設定されている。これにより、開きシャッタ羽根３０と閉じシャッタ羽根４０との相対的な駆動タイミングを、より確実かつ高精度に制御することができる。また、露光調整時間が休止時間Ｈより短いか長いかの比較判断だけで、露光動作を制御するため、制御シーケンスがより簡略化される。
【００２６】
次に、このカメラ用シャッタ装置が銀塩フィルム式のカメラに搭載された場合の動作について、図７ないし図９を参照しつつ説明する。尚、光センサ７０及びセンサ信号検出回路８４により検出された開きシャッタ羽根３０及び閉じシャッタ羽根４０の位置情報は、制御部８１に取り込まれて、以下の動作を制御する際の情報として用いられる。
先ず、メインスイッチ９０がオンとされた撮影待機状態において、レリーズ動作がなされレリーズスイッチ９１がトリガ信号を発すると、測光器８６ａ及び測光回路８６からの出力信号に基づき被写体の光量レベルが測定され、最適な露光時間が算出されて露光調整時間（ＡＥＤ＋ＴＡＥ）が設定される。
そして、第２電磁駆動源６０が開き通電されてその通電が完了した時点Ｓで制御シーケンスがスタートして、休止時間Ｈを計るタイマー８８がスタートする（ステップＳ１）と同時に、露光調整時間の前領域（ＡＥＤ）がスタートする（ステップＳ２）。
【００２７】
続いて、露光調整時間の前領域（ＡＥＤ）が終了したか否かが判断される（ステップＳ３）。ここで、前領域（ＡＥＤ）が終了したと判断された場合は、露光調整時間の後領域（ＴＡＥ）がスタートし（ステップＳ４）、続けて、この露光調整時間の後領域（ＴＡＥ）が終了したか否かが判断される（ステップＳ５）。ここで、後領域（ＴＡＥ）が終了したと判断された場合は、図８に示すように、先ず第２の電磁駆動源６０に対して閉じ通電が所定時間（例えば、３０ｍｓ）だけ行われ、閉じシャッタ羽根４０が閉じ動作を開始する（ステップＳ６）。
【００２８】
そして、休止時間Ｈが終了したか否かが判断され（ステップＳ７）、休止時間が終了したと判断されると、第１の電磁駆動源５０に対して開き通電が所定時間（例えば、３０ｍｓ）だけ行われ、開きシャッタ羽根３０が開き動作を行う（ステップＳ８）。これにより、露光動作が終了し、高輝度時の撮影が完了する。
このように、露光調整時間が休止時間の経過よりも前に終了する、すなわち、光量が所定レベル以上（高輝度）の場合に、閉じシャッタ羽根４０に閉じ動作を開始させた後に開きシャッタ羽根３０に開き動作を行わせることで、所望の小絞り状態が形成されるため、被写体の光量レベル（高輝度）に応じて最適な露出が行われ、高画質の画像が高速撮影される。
【００２９】
ステップＳ５において、露光調整時間の後領域（ＴＡＥ）が終了していないと判断された場合、続いて、休止時間Ｈが経過（終了）したか否かが判断される（ステップＳ９）。ここで、休止時間（Ｈ）が未だ経過していないと判断された場合、ステップＳ５に戻る。
一方、休止時間（Ｈ）が経過したと判断されると、図９に示すように、先ず第１の電磁駆動源５０に対して開き通電が所定時間（例えば、３０ｍｓ）だけ行われ、開きシャッタ羽根３０が開き動作を行う（ステップＳ１０）。
【００３０】
続いて、露光調整時間の後領域（ＴＡＥ）が終了したか否かが判断され（ステップＳ１１）、後領域（ＴＡＥ）が終了したと判断されると、図９に示すように、第２の電磁駆動源６０に対して閉じ通電が所定時間（例えば、３０ｍｓ）だけ行われ、閉じシャッタ羽根４０が閉じ動作を行う（ステップＳ１２）。これにより、露光動作が終了し、低輝度時の撮影が完了する。
【００３１】
このように、露光調整時間（ＡＥＤ＋ＴＡＥ）が終了する前に休止時間が経過、すなわち、被写体の光量が所定レベル未満（低輝度）の場合に、開きシャッタ羽根３０に開き動作を行わせた後に閉じシャッタ羽根４０に閉じ動作を行わせることで、図３に示すように開口部１０ａが全開にされて、被写体の光量レベル（低輝度）に応じた最適な露出が行われ、高画質の画像が高速撮影される。
【００３２】
さらに、ステップＳ３において、露光調整時間の前領域（ＡＥＤ）が未だ終了していないと判断された場合、続いて、休止時間（Ｈ）が経過（終了）したか否かが判断される（ステップＳ１３）。ここで、休止時間（Ｈ）が未だ経過していないと判断された場合、ステップＳ３に戻る。
一方、休止時間（Ｈ）が経過したと判断されると、図９に示すように、先ず第１の電磁駆動源５０に対して開き通電が所定時間（例えば、３０ｍｓ）だけ行われ、開きシャッタ羽根３０が開き動作を行う（ステップＳ１４）。
【００３３】
続いて、露光調整時間の前領域（ＡＥＤ）が終了したか否かが判断され（ステップＳ１５）、前領域（ＡＥＤ）が終了したと判断されると、露光調整時間の後領域（ＴＡＥ）がスタートし（ステップＳ１６）、続けて、後領域（ＴＡＥ）が終了したか否かが判断される（ステップＳ１７）。
ここで、後領域（ＴＡＥ）が終了したと判断された場合は、図９に示すように、第２の電磁駆動源６０に対して閉じ通電が所定時間（例えば、３０ｍｓ）だけ行われ、閉じシャッタ羽根４０が閉じ動作を行う（ステップＳ１８）。これにより、露光動作が終了し、低輝度時の撮影が完了する。
【００３４】
このように、露光調整時間の前領域（ＡＥＤ）が終了する前に休止時間が経過、すなわち、被写体の光量が所定レベル未満（低輝度）の場合に、開きシャッタ羽根３０に開き動作を行わせた後に閉じシャッタ羽根４０に閉じ動作を行わせることで、図３に示すように開口部１０ａが全開にされて、被写体の光量レベル（低輝度）に応じた最適な露出が行われ、高画質の画像が高速撮影される。
【００３５】
上記実施形態においては、開きシャッタ羽根３０を２枚の羽根３１，３２により形成し、閉じシャッタ羽根４０を４枚の羽根４１，４２，４３，４４により形成した場合を示したが、これに限定されるものではなく、その他の枚数からなる開きシャッタ羽根及び閉じシャッタ羽根を採用してもよい。
【００３６】
上記実施形態においては、カメラ用シャッタ装置を銀塩フィルム式のカメラに搭載した場合を示したが、同様な駆動制御が要求されれば、ＣＣＤ等の撮像素子により画像を撮影するデジタルカメラに適用してもよい。
【００３７】
【発明の効果】
以上述べたように、本発明のカメラ用シャッタ装置によれば、露光開始用の開きシャッタ羽根、露光終了用の閉じシャッタ羽根、両シャッタ羽根をそれぞれ開閉駆動する二つの電磁駆動源等を備えた構成において、露光動作の際に、被写体の光量に応じて、開きシャッタ羽根と閉じシャッタ羽根とのいずれを先に駆動するかを選択的に決定するようにしたことにより、被写体が低輝度のとき開きシャッタ羽根を先に駆動させ、あるいは、被写体が高輝度のとき閉じシャッタ羽根を先に駆動させるように駆動制御できるため、光量レベルに応じて最適な露光特性が得られ、高速撮影を行いつつも高画質の撮影画像を得ることができる。
特に、開きシャッタ羽根が駆動されない固定の領域（休し時間）を設定することにより、この領域を閉じシャッタ羽根の助走区間として用いることができるため、閉じシャッタ羽根を先に駆動させる際にシャッタ速度をより高速化できる。
【図面の簡単な説明】
【図１】本発明に係るカメラ用シャッタ装置の一実施形態を示す外観平面図である。
【図２】図１に示す装置の一部を示した展開断面図である。
【図３】開きシャッタ羽根及び閉じシャッタ羽根を示した平面図である。
【図４】開きシャッタ羽根が開口部を閉じる閉鎖位置にかつ閉じシャッタ羽根が開口部を開放する開放位置にある状態を示す平面図である。
【図５】開きシャッタ羽根が開口部を開く開放位置にかつ閉じシャッタ羽根が開口部を閉じる閉鎖位置にある状態を示す平面図である。
【図６】カメラ用シャッタ装置がカメラに搭載された場合のシステム全体の制御回路を示すブロック図である。
【図７】カメラ用シャッタ装置の制御シーケンスを示すフローチャートである。
【図８】高輝度時におけるカメラ用シャッタ装置の制御シーケンスを示すタイムチャートである。
【図９】低輝度時におけるカメラ用シャッタ装置の制御シーケンスを示すタイムチャートである。
【符号の説明】
１０  地板
１０ａ，２０ａ  露光用開口部
１０ｂ，１０ｃ  貫通孔
１１，１２，１３，１４，１５，１６  支軸
２０  裏板
３０（３１，３２）  開きシャッタ羽根
４０（４１，４２，４３，４４）  閉じシャッタ羽根
５０  第１の電磁駆動源
５１  ロータ
５１ａ  駆動ピン
５３  コイル
６０  第２の電磁駆動源
６１  ロータ
６１ａ  駆動ピン
６３  コイル
７０  光センサ
８０  制御回路
８１  制御部（制御手段）
８２  第１モータ駆動回路
８３  第２モータ駆動回路
８４  センサ信号検出回路
８５  測距回路
８６  測光回路
８６ａ  測光器
８８  タイマー
８９  記憶部
９０  メインスイッチ
９１  レリーズスイッチ
Ｈ  休止時間
Ｓ  制御シーケンスのスタート時
【図１】
2004191543.tif 000003
【図２】
2004191543.tif 000004
【図３】
2004191543.tif 000005
【図４】
2004191543.tif 000006
【図５】
2004191543.tif 000007
【図６】
2004191543.tif 000008
【図７】
2004191543.tif 000009
【図８】
2004191543.tif 000010
【図９】
2004191543.tif 000011